(57)【要約】【課題】、居住者の異常を簡素な構成で誤作動なく検知可能な異常通報システムを提供する。【解決手段】センサ３２は、巾木２８の長手方向に並行して設けられた溝部に配設された感圧センサであり、居住者３４の指が溝部に挿入されたことを検知する。ＨＥＭＳ３０は、センサ３２が溝部への指の挿入を検知した場合に、屋内警報器３６及び屋外警報器３８を作動させると共に、建物１００の電気錠４２を解錠する。【選択図】図１
2016045580.tif 000002
【特許請求の範囲】
【請求項１】
巾木の長手方向に並行に設けられた溝部に配設され、指が前記溝部に挿入されたことを検知する検知手段と、
前記検知手段が前記溝部への指の挿入を検知した場合に、警報器を作動させると共に、建物の電気錠を解錠する制御手段と、
を含む異常通報システム。
【請求項２】
前記検知手段は、前記溝部に配設された帯状の感圧センサである請求項１に記載の異常通報システム。
【請求項３】
前記検知手段は、発光素子と該発光素子に対向する受光素子とを含み、前記発光素子は前記溝部に沿って光線を出力し、前記受光素子は前記発光素子が出力した光線を受光すると共に指が前記溝部に挿入されることで前記光線が遮断されたことを検知する光センサである請求項１に記載の異常通報システム。
【請求項４】
前記制御手段は、ネットワークを通じて情報センタに前記検知手段が前記溝部への指の挿入を検知したことを送信し、
前記情報センタは、消防署に救急活動の要請を通報する請求項１〜３のいずれか１項に記載の異常通報システム。
【発明の詳細な説明】
【技術分野】
【０００１】
本発明は、居住者の異常を通報する異常通報システムに関する。
【背景技術】
【０００２】
建物に独居している場合、又は居住者が他の居住者とは別に個室に居る場合に当該居住者が不意の発作等により倒れた際に、当該居住者の姿勢の変化を検知して所定の連絡先へ通報するシステムが提案されている。例えば、特許文献１には、室内に発光器と受光センサを設け、受光センサが遮光されるパターンに基づいて居住者が倒れ込む等の姿勢の変化を検知し、通報する自動通報システムが開示されている。
【先行技術文献】
【特許文献】
【０００３】
【特許文献１】特開２００５−１１５４７４号公報
【発明の概要】
【発明が解決しようとする課題】
【０００４】
しかしながら、特許文献１に記載の自動通報システムは、居住者以外の物又はペット等の動物の挙動も居住者の姿勢の変化として検知して誤作動する場合があった。また、室内に複数の発光器と受光センサを設ける必要があり、システムが複雑かつ高コストになるという問題点があった。
【０００５】
本発明は、上記事実を考慮して成されたもので、居住者の異常を簡素な構成で誤作動なく検知可能な異常通報システムを提供することを目的とする。
【課題を解決するための手段】
【０００６】
上記課題を解決するための請求項１の発明は、巾木の長手方向に並行に設けられた溝部に配設され、指が前記溝部に挿入されたことを検知する検知手段と、前記検知手段が前記溝部への指の挿入を検知した場合に、警報器を作動させると共に、建物の電気錠を解錠する制御手段と、を含んでいる。
【０００７】
請求項１に記載の発明によれば、センサを設けた巾木の溝部に、床に倒れ込んだ居住者の指が挿入されたことをセンサが検知した場合に、制御手段は、居住者に異常が生じたと判定するので、居住者の異常を簡素な構成で検知できる。
【０００８】
請求項２の発明は、請求項１に記載の発明において、前記検知手段は、前記溝部に配設された帯状の感圧センサである。
【０００９】
請求項２に記載の発明によれば、巾木の溝部に感圧センサを配設する簡素な構成で居住者の異常を検知できる。
【００１０】
請求項３の発明は、請求項１に記載の発明において、前記検知手段は、発光素子と該発光素子に対向する受光素子とを含み、前記発光素子は前記溝部に沿って光線を出力し、前記受光素子は前記発光素子が出力した光線を受光すると共に指が前記溝部に挿入されることで前記光線が遮断されたことを検知する光センサである。
【００１１】
請求項３に記載の発明によれば、巾木の溝部に光センサを設ける簡素な構成で居住者の異常を検知できる。
【００１２】
請求項４の発明は、請求項１〜３のいずれか１項に記載の発明において、前記制御手段は、ネットワークを通じて情報センタに前記検知手段が前記溝部への指の挿入を検知したことを送信し、前記情報センタは、消防署に救急活動の要請を通報する。
【００１３】
請求項４に記載の発明によれば、居住者の異常を、ネットワークを介して通報することができる。
【発明の効果】
【００１４】
以上説明したように、請求項１に記載の発明は、床に倒れ込んだ居住者が指を巾木の溝部に挿入することをセンサが検知し、制御手段は各警報機の作動及び電気錠の解錠を行うので、居住者の異常を簡素な構成で誤作動なく検知できる。
【００１５】
請求項２に記載の発明によれば、検知手段に汎用部品である帯状の感圧センサを設けるという簡素な構成により、居住者の異常を検知できる。
【００１６】
請求項３に記載の発明によれば、巾木の一端に発光素子、他端に受光素子を有する光センサを設けるという簡素な構成により、居住者の異常を検知できる。
【００１７】
請求項４に記載の発明によれば、ネットワークを介して居住者の救護を要請することができる。
【図面の簡単な説明】
【００１８】
【図１】本発明の第１の実施の形態に係る異常通報システムを備えた建物の一例を示す概略図である。
【図２】本発明の第１の実施の形態に係る異常通報システムにおけるＨＥＭＳの概略構成を示すブロック図である。
【図３】（Ａ）は、本発明の第１の実施の形態に係る異常通報システムに用いられるセンサの概略を示した平面図であり、（Ｂ）は、図３（Ａ）に示したＡＡ線でセンサを切断した場合の断面図であり、（Ｃ）は、図３（Ａ），（Ｂ）に示したセンサが帯状に連なった状態の一例を示した平面図である。
【図４】巾木へのセンサの実装の一例を示した図で、（Ａ）は巾木の溝部の上側に、（Ｂ）は巾木の溝部の下側に、（Ｃ）は巾木の溝部の奥に、センサを各々実装した場合を示している。
【図５】図５は、巾木２８へのセンサの実装の他の例を示した図で、（Ａ）はセンサ保持部の溝部の上側に、（Ｂ）はセンサ保持部の溝部の下側に、（Ｃ）はセンサ保持部の溝部の奥に、各々実装した場合を示している。
【図６】センサを感圧センサではなく、光センサに置換した場合を示した概略図であり、（Ａ）は、室内で各々対向する巾木の一方の溝部に半導体レーザ等の発光素子を、他方の溝部に受光素子を備えた場合であり、（Ｂ）は、巾木の上部に断面が略コの字型をしたセンサ保持部を設けた場合の光センサの実装の一例を示した場合である。
【図７】図７は、本実施の形態に係る異常通報システムの動作の一例を示したフローチャートである。
【図８】図８は、本発明の第２の実施の形態に係る異常通報システムを備えた建物の一例を示す概略図である。
【発明を実施するための形態】
【００１９】
［第１の実施の形態］
以下、図面を参照して本発明の第１の実施の形態の一例を詳細に説明する。図１は、本実施の形態に係る異常通報システム１０を備えた建物１００の一例を示す概略図である。図１に示したように、本実施の形態に係る異常通報システム１０を備えた建物１００は、巾木２８の長手方向に沿ってセンサ３２が設けられており、センサ３２は、発作等で倒れた居住者３４がタッチすることでオンになる帯状の感圧センサ又は発光素子及び当該発光素子に対向した受光素子を有する光センサである。
【００２０】
制御装置であるＨＥＭＳ（Home Energy Management System）３０は、センサ３２からの信号に基づき、居住者３４が発作等によって倒れたことを検知し、屋内警報器を作動させる。さらにＨＥＭＳ３０は、建物１００の外に設けられた屋外警報器３８を作動させると共に、玄関のドア４０の電気錠４２を解錠し、建物１００の外から居住者を救出できるようにする。
【００２１】
図２は、本実施の形態に係る異常通報システム１０におけるＨＥＭＳ３０の概略構成を示すブロック図である。ＨＥＭＳ３０は、ＣＰＵ（Central Processing Unit）１２と、ＨＤＤ（Hard Disk Drive）１４と、ＲＡＭ（Random Access Memory）１６と、ネットワークＩ／Ｆ部１８と、ＲＯＭ（Read Only Memory）２０とを含む。また、ＨＥＭＳ３０は表示部２２と、操作入力部２４と、バス２６とを含んでおり、情報を入力する端末と情報を表示する端末との機能を有している。
【００２２】
ＣＰＵ１２は、ＨＥＭＳの全体の動作を司るものであり、ＨＤＤ１４はセンサ３２、屋内警報器３６、屋外警報器３８、電気錠４２の制御のプログラム、ＯＳ（Operating System）及び窓の開閉の制御に供するデータ等が記録される不揮発性の記憶装置である。ＲＡＭ１６は、ＯＳ、プログラム又はデータが展開される揮発性の記憶装置である。ネットワークＩ／Ｆ部１８は、ネットワークに接続するためのものであり、ＮＩＣ（Network Interface Card）やそのドライバで構成される。ＲＯＭ２０は、ＨＥＭＳの起動時に動作するブートプログラムなどが記憶されている不揮発性の記憶装置である。表示部２２は、異常通報システム１０に関する情報をユーザに表示するものである。操作入力部２４は、ユーザが異常通報システム１０の操作や情報を入力する際に用いられるものであり、一例としてタッチパネル、キーボード等の入力装置及びトラックボール、ペンタブレット若しくはマウス等のポインティングデバイスが含まれる。バス２６は、情報のやりとりが行われる際に使用される。
【００２３】
図３（Ａ）は、本実施の形態に係る異常通報システム１０に用いられるセンサ３２の概略を示した平面図である。センサ３２は、柔軟性、弾力性及び絶縁性を有するフィルム状の樹脂等で構成された電極シートと、電極回路５０と、感圧電極回路５２とで構成されている。
【００２４】
図３（Ｂ）は、図３（Ａ）に示したＡＡ線でセンサ３２を切断した場合の断面図である。電極シート５６は上下二枚で構成されており、所定の間隔で設けられたスペーサー５４によって、空隙５８が確保され、空隙５８内で電極回路５０と感圧電極回路５２とが対峙している。電極シート５６に圧力が加えられると、電極シート５６がたわみ、電極回路５０と感圧電極回路５２とが接触することによって両者が導通し、センサ３２がオンになる。
【００２５】
図３（Ｃ）は、図３（Ａ），（Ｂ）に示したセンサ３２が帯状に連なった状態の一例を示した平面図である。本実施の形態では、図３（Ｃ）に示した帯状のセンサ３２が巾木の部分に取り付けられる。
【００２６】
図４は、巾木２８の長手方向に垂直な断面において、巾木２８へのセンサ３２の実装の一例を示した図である。（Ａ）は巾木２８の溝部６０の上側に、（Ｂ）は巾木２８の溝部６０の下側に、（Ｃ）は巾木２８の溝部６０の奥に、センサ３２を各々実装した場合を示している。本実施の形態では、掃除機等の物品、又は居住者の足等が徒にセンサ３２をオンにしないように、センサ３２は、巾木２８の長手方向に並行して設けられた溝部６０に取り付けられている。図４（Ａ），（Ｂ），（Ｃ）のいずれの場合も、倒れた居住者３４が指を溝部６０に挿入した場合にセンサ３２がオンになることが望ましい。
【００２７】
図５は、巾木２８の長手方向に垂直な断面において、巾木２８へのセンサ３２の実装の他の例を示した図で、巾木２８の上部に巾木２８の長手方向に並行する溝部６４を有するセンサ保持部６２を設けている。（Ａ）はセンサ保持部６２の溝部６４の上側に、（Ｂ）はセンサ保持部６２の溝部６４の下側に、（Ｃ）はセンサ保持部６２の溝部６４の奥に、各々実装した場合を示している。図５（Ａ），（Ｂ），（Ｃ）のいずれの場合も、倒れた居住者３４が指を溝部６０に挿入した場合にセンサ３２がオンになることが望ましい。
【００２８】
図６は、センサ３２を感圧センサではなく、光センサに置換した場合を示した概略図である。（Ａ）は、室内で各々対向する巾木２８の一方の溝部６０に半導体レーザ等の発光素子６６Ａを、他方の溝部６０にフォトダイオード等の受光素子を備えている。発光素子６６Ａ及び受光素子６６Ｂが実装されるのは、一例として部屋の四隅の近くであり、発光素子６６Ａが出力した光線７２は、例えば、光線７２に並行している巾木２８の溝部６０を通って受光素子６６Ｂに到達する。光線７２が巾木２８の溝部を通ることで、掃除機等の物品、又は居住者の足等が徒にセンサ３２をオンにすることを防止している。
【００２９】
図６（Ａ）に示した例では、居住者３４が倒れ込んで巾木２８の溝部６０に指を挿入したことによって光線７２が遮断されると、ＨＥＭＳ３０は、居住者３４の異常を感知し、屋内警報器３６を作動させる等の一連の処置を実行する。
【００３０】
図６（Ｂ）は、巾木２８の上部に巾木２８の長手方向に並行する溝部６４を有するセンサ保持部６２を設けた場合の光センサの実装の一例を示した概略図である。発光素子６６Ａが出力した光線７２は、例えば、光線７２に並行しているセンサ保持部６２の溝部６４を通って受光素子６６Ｂに到達する。
【００３１】
図７は、本実施の形態に係る異常通報システム１０の動作の一例を示したフローチャートである。ステップ７００では、センサ３２が反応したか否かが判定され、肯定判定の場合には、ステップ７０２で屋内警報器３６を作動させる。
【００３２】
ステップ７０４では、屋内警報器３６を作動させてから所定の時間が経過した後に、屋外警報器３８を作動させる。屋内警報器３６の作動から所定の時間を待って屋外警報器３８を作動させるのは、建物１００内に居る他の居住者による救助を待つためである。発作等を起こして倒れ込んだ居住者３４が他の居住者に救助された後、ＨＥＭＳ３０の操作により、屋内警報器３６の作動が停止された場合には、屋外警報器３８を作動させない。
【００３３】
ステップ７０６では、ステップ７０４での屋外警報器３８の作動後に、玄関のドア４０の電気錠４２を解錠して処理を終了する。
【００３４】
以上説明したように、本実施の形態によれば、発作を起こしたものの意識がある居住者３４がセンサ３２をオンにした場合に、居住者３４の異常を検知することにより、システムの誤作動を防止できる異常通報システムを提供することができる。また、本実施の形態は、巾木２８に巡らせたセンサ３２と、制御装置であるＨＥＭＳ３０と、警報器と、電気錠４２とを含む簡素な構成であり、システムを低コストで構築できる。
【００３５】
［第２の実施の形態］
図８は、本発明の第２の実施の形態に係る異常通報システム１１０を備えた建物１２０の一例を示す概略図である。図８に示した本実施の形態は、図１に示した第１の実施の形態に対して、建物１２０が終端装置４４及びネットワーク７０を介して居住者３４が発作を起こしたことを情報センタ８０に通報できる点で相違する。しかしながら、他の構成は図１に示した第１の実施の形態と同様なので、それらの構成については、図１と同一の符号を付して詳細な説明は省略する。
【００３６】
本実施の形態では、ＨＥＭＳ３０は、センサ３２がオンになったことを検知して屋内警報器３６を作動させた後、情報センタ８０に異常があったことを通報する。情報センタ８０では、居住者３４の外出先家族、知人等の連絡先にメール等で居住者の異常を通知し、さらに居住者３４が発作を起こしたことを消防等に通報して、救急隊員による救助が可能なようにする。
【００３７】
なお、ＨＥＭＳ３０から情報センタ８０への通報は、屋内警報器３６を作動させた後、所定時間が経過してから行ってもよい。屋内警報器３６を作動させたことで、建物１００の他の居住者によって発作を起こした居住者が救護される場合があるからである。居住者３４の救護に伴って、他の居住者の操作により屋内警報器３６の作動は停止されると思われるので、屋内警報器３６が停止された場合は、ＨＥＭＳ３０は居住者３４の異常を情報センタ８０には通報しない。
【００３８】
ＨＥＭＳ３０から居住者３４の異常を通報された情報センタ８０では、専用回線等を用いた音声通信で建物１００内の居住者３４の安否を確認してもよい。音声通信に対する応答がない場合、情報センタ８０は、前述のように、居住者３４の外出先家族、知人等の連絡先にメール等で居住者の異常を通知し、さらに居住者３４が発作を起こしたことを消防等に通報する。
【００３９】
また、居住者３４が言語中枢の損傷等により失語状態の場合には、情報センタ８０は、音声で居住者３４の容態を確認するために「Ｙｅｓ」又は「Ｎｏ」で応答できる質問を音声で発してもよい。質問を受けた居住者３４は、ＨＥＭＳ３０の操作入力部２４を操作して、質問に対して「Ｙｅｓ」なら操作入力部２４のタッチパネルをワンタップ、「Ｎｏ」ならダブルタップすることで、情報センタ８０に自身の容態を伝えることができる。
【００４０】
情報センタ８０への通報後、ＨＥＭＳ３０は、屋外警報器３８を作動させ、玄関のドア４０の電気錠４２を解錠する。
【００４１】
以上説明したように、本実施の形態によれば、居住者３４の異常を居住者３４の外出先家族、知人等の連絡先にメール等で居住者の異常を通知し、さらに情報センタ８０を介して消防署等に通知でき、救急車の手配等の救護措置をとることができる。
【符号の説明】
【００４２】
１０   異常通報システム
１２   ＣＰＵ
１４   ＨＤＤ
１６   ＲＡＭ
１８   ネットワークＩ／Ｆ部
２０   ＲＯＭ
２２   表示部
２４   操作入力部
２６   バス
２８   巾木
３２   センサ
３４   居住者
３６   屋内警報器
３８   屋外警報器
４０   ドア
４２   電気錠
４４   終端装置
６０   溝部
６２   センサ保持部
６４   溝部
６６Ａ 発光素子
６６Ｂ 受光素子
７０   ネットワーク
７２   光線
８０   情報センタ
１００ 建物
１１０ 異常通報システム
１２０ 建物
【図１】
2016045580.tif 000003
【図２】
2016045580.tif 000004
【図３】
2016045580.tif 000005
【図４】
2016045580.tif 000006
【図５】
2016045580.tif 000007
【図６】
2016045580.tif 000008
【図７】
2016045580.tif 000009
【図８】
2016045580.tif 000010